(57)【要約】【課題】タイムカード発行にかかる手間を軽減する。【解決手段】ＲＦＩＤクリップ２１はＲＦＩＤタグ２３を備えていてタイムカードＣ１へ着脱することができる。タイムレコーダ１は、ＲＦＩＤリーダ／ライタを備えており、ＲＦＩＤクリップに格納されているデータの読書きを行う。ＲＦＩＤクリップのクリップＩＤコードをタイムレコーダに登録しておくことにより、タイムカード挿入時に既登録クリップか未登録クリップかが判断され、既登録の場合は時刻データの保存、時刻印字が行われ、未登録の場合はエラーが表示される。集計期間の切換えに際してはＲＦＩＤクリップを新規のタイムカードへ付替えるだけでよく、従来必要であったタイムカードのＩＤコードをタイムレコーダへ登録する作業が不要となり、毎月のタイムカード発行にかかる手間が軽減される。【選択図】  図１
2004334350.tif 000002
【特許請求の範囲】
【請求項１】
タイムカードへ着脱自在に形成したクリップにＲＦＩＤタグを装着し、ＲＦＩＤタグのメモリにクリップＩＤコード或いは社員番号、氏名、勤務体系データなどのデータを読書きできるように形成したタイムカード用ＲＦＩＤクリップ。
【請求項２】
ＲＦＩＤリーダ／ライタを備え、タイムカードへ装着されたＲＦＩＤクリップに書込まれているデータを読書きできるように形成したタイムレコーダ。
【請求項３】
タイムカードの挿入を検知して、タイムカードへ装着されたＲＦＩＤクリップに書込まれているクリップＩＤコードを読込み、読込んだクリップＩＤコードの真偽照合を行い、照合結果に応じて時刻データの保存及び印字またはエラー表示を行う制御手段を設けた請求項２記載のタイムレコーダ。
【請求項４】
タイムカードの挿入を検知して、タイムカードへ装着されたＲＦＩＤクリップに書込まれているクリップＩＤコードを読込み、当該集計期間における前記クリップＩＤコードに対する打刻履歴を参照し、打刻履歴がない場合はタイムカードへクリップＩＤコード或いは社員番号、氏名、勤務体系データなどのデータを印字する制御手段を設けた請求項２記載のタイムレコーダ。
【請求項５】
タイムカードに形成されたパンチ穴またはバーコードなどによるカードＩＤコードを読取るカードＩＤコード読取り部とＲＦＩＤリーダ／ライタを備え、タイムカードの挿入を検知して、タイムカードへ装着されたＲＦＩＤクリップに書込まれているクリップＩＤコードとタイムカードのカードＩＤコードとを読込み、当該集計期間における前記クリップＩＤコードに対する打刻履歴を参照し、打刻履歴がない場合は前記カードＩＤコードをクリップＩＤコードへ関連付けてメモリに保存する制御手段を設けたタイムレコーダ。
【請求項６】
タイムカードの挿入を検知して、タイムカードへ装着されたＲＦＩＤクリップに書込まれているクリップＩＤコードとタイムカードのカードＩＤコードとを読込み、クリップＩＤデータとカードＩＤコードとの関連を検査し、その検査結果に応じて時刻データの保存及び印字またはエラー表示を行う制御手段を設けた請求項５記載のタイムレコーダ。
【請求項７】
タイムカードの挿入を検知して、タイムカードへ装着されたＲＦＩＤクリップに書込まれているクリップＩＤコードとタイムカードのカードＩＤコードとを読込み、当該集計期間における前記クリップＩＤコードに対する打刻履歴を参照し、打刻履歴がない場合はタイムカードへクリップＩＤコード或いは社員番号、氏名、勤務体系データなどのデータを印字する制御手段を設けた請求項５記載のタイムレコーダ。
【請求項８】
時刻データ、或いは時刻データとタイムカードのカードＩＤコードなどのデータをＲＦＩＤクリップのメモリへ書込む制御手段を設けた請求項２，  ３，  ４，  ５，  ６または７記載のタイムレコーダ。
【発明の詳細な説明】
【０００１】
【発明の属する技術分野】
この発明は、タイムカード用ＲＦＩＤクリップならびにタイムレコーダに関するものであり、特に、カード発行にかかる管理者の負担を軽減したタイムカード用ＲＦＩＤクリップならびにタイムレコーダに関するものである。
【０００２】
【従来の技術】
タイムカードに時刻を印字する機能に加えて、タイムカードに記されたパンチ穴或いはバーコードなどによるカードＩＤコードを読み取り、カードＩＤコードと打刻データを関連付けてメモリに保存する集計機能を備えたタイムレコーダは広く一般に使用されている（例えば特許文献１、２を参照）。
【０００３】
この種の時間集計型タイムレコーダには、毎日或いは集計締め日に時間集計データ（当日勤務時間や累計勤務時間）をタイムカードへ印字する集計データ印字機能を持ったものと、集計データ印字機能に加えて集計データをメモリカードなどの外部記憶媒体へ書き込んだり、タイムレコーダとコンピュータとをＵＳＢケーブルなどで接続して集計データをコンピュータへ転送したりすることができるようにしたものがある。また、時間集計前の出退勤時刻データをメモリカードなどの外部記憶媒体に書込むことができるタイムレコーダも知られている。
【０００４】
いずれにしても、時間集計型タイムレコーダにおいてはタイムカードのカードＩＤコードと従業者個人とを一対一に関連付ける必要があり、管理者は時間管理すべき従業者と同数のタイムカードの関連付けを行ってタイムカードを発行する。
【０００５】
カード発行作業とは、パンチ穴或いはバーコードなどによって一枚ごとに個別のカードＩＤコードを割り当てたタイムカードのカードＩＤコードをタイムレコーダに読み取らせる操作であり、タイムレコーダの動作モードをカード発行モードに切換え、タイムカードをタイムレコーダのカードスロットへ挿入してタイムカードのカードＩＤコードを読み取らせる。
【０００６】
タイムレコーダの制御部は、カードスロットへ挿入されたタイムカードのカードＩＤコードを読み取ると同時に、タイムカードの挿入順に自動的にカード番号を割り当てるか、或いはキー入力により設定されたカード番号を割り当て、カード番号にカードＩＤコードを関連付けてメモリに記憶する。
【０００７】
通常は、管理者が或る一台のタイムレコーダを使用する全従業者分のタイムカードを順次タイムレコーダのカードスロットへ挿入して一月分のタイムカードの発行を行い、タイムカードには挿入順にカード番号が印字される（例えば、タイムカードの枚数が１００枚の時は００１から１００まで）。
【０００８】
管理者は予め各従業者にカード番号を割り当て、各従業者へそれぞれ該当するカード番号のタイムカードを配布する。管理者は、締め日以降に全てのタイムカードを回収してタイムカードに印字されている出退勤データやそのデータを基にした集計データに基づいて従業者ごとの給与計算を行うか、データ転送可能なタイムレコーダにおいては、タイムレコーダのメモリに格納されている出退勤データやそのデータを基にした集計データをコンピュータに読み込ませて給与計算プログラムにより計算事務処理を行う。
【０００９】
【特許文献１】特開２００１−２１６５４６号公報（段落番号０００２，０００３）
【００１０】
【特許文献２】特開平８−１９０６４５号公報（段落番号０００２，０００３）
【００１１】
【発明が解決しようとする課題】
従来、集計機能付タイムレコーダを運用するためにタイムカードを発行するにあたっては、管理者がタイムレコーダの設置場所へ行ってタイムカード一枚ごとに登録操作を行っており、毎月のカード発行に著しい手間と時間がかかるという問題がある。そこで、カード発行にかかる労力を軽減するために解決すべき技術的課題が生じてくるのであり、本発明は上記課題を解決することを目的とする。
【００１２】
【課題を解決するための手段】
この発明は、上記目的を達成するために提案するものであり、タイムカードへ着脱自在に形成したクリップにＲＦＩＤタグを装着し、ＲＦＩＤタグのメモリにクリップＩＤコード或いは社員番号、氏名、勤務体系データなどのデータを読書きできるように形成したタイムカード用ＲＦＩＤクリップ、ならびにＲＦＩＤリーダ／ライタを備え、タイムカードへ装着されたＲＦＩＤクリップに書込まれているデータを読書きできるように形成したタイムレコーダを提供するものである。
【００１３】
また、タイムカードの挿入を検知して、タイムカードへ装着されたＲＦＩＤクリップに書込まれているクリップＩＤコードを読込み、読込んだクリップＩＤコードの真偽照合を行い、照合結果に応じて時刻データの保存及び印字またはエラー表示を行う制御手段を設けたタイムレコーダを提供するものである。
【００１４】
また、タイムカードの挿入を検知して、タイムカードへ装着されたＲＦＩＤクリップに書込まれているクリップＩＤコードを読込み、当該集計期間における前記クリップＩＤコードに対する打刻履歴を参照し、打刻履歴がない場合はタイムカードへクリップＩＤコード或いは社員番号、氏名、勤務体系データなどのデータを印字する制御手段を設けたタイムレコーダを提供するものである。
【００１５】
また、タイムカードに形成されたパンチ穴またはバーコードなどによるカードＩＤコードを読取るカードＩＤコード読取り部とＲＦＩＤリーダ／ライタを備え、タイムカードの挿入を検知して、タイムカードへ装着されたＲＦＩＤクリップに書込まれているクリップＩＤコードとタイムカードのカードＩＤコードとを読込み、当該集計期間における前記クリップＩＤコードに対する打刻履歴を参照し、打刻履歴がない場合は前記カードＩＤコードをクリップＩＤコードへ関連付けてメモリに保存する制御手段を設けたタイムレコーダを提供するものである。
【００１６】
また、タイムカードの挿入を検知して、タイムカードへ装着されたＲＦＩＤクリップに書込まれているクリップＩＤコードとタイムカードのカードＩＤコードとを読込み、クリップＩＤデータとカードＩＤコードとの関連を検査し、その検査結果に応じて時刻データの保存及び印字またはエラー表示を行う制御手段を設けたタイムレコーダを提供するものである。
【００１７】
また、タイムカードの挿入を検知して、タイムカードへ装着されたＲＦＩＤクリップに書込まれているクリップＩＤコードとタイムカードのカードＩＤコードとを読込み、当該集計期間における前記クリップＩＤコードに対する打刻履歴を参照し、打刻履歴がない場合はタイムカードへクリップＩＤコード或いは社員番号、氏名、勤務体系データなどのデータを印字する制御手段を設けたタイムレコーダを提供するものである。
【００１８】
また、上記タイムレコーダにおいて、時刻データ、或いは時刻データとタイムカードのカードＩＤコードなどのデータをＲＦＩＤクリップのメモリへ書込む制御手段を設けたタイムレコーダを提供するものである。
【００１９】
【発明の実施の形態】
以下、この発明の実施の一形態を図に従って詳述する。図１はタイムレコーダのシステム構成を示し、１はタイムレコーダ、Ｃ１はタイムカード、２１はＲＦＩＤクリップである。ＲＦＩＤクリップ２１は、タイムカードＣ１へ着脱できる樹脂製のクリップ２２の内側或いは背面に公知のシート型或いはコイン型のＲＦＩＤタグ２３を装着したものであり、管理者が予めＲＦＩＤリーダ／ライタを用いてＲＦＩＤクリップ２１のＲＦＩＤタグ２３にクリップＩＤコード（クリップ番号または社員コード番号、或いはクリップ番号などに加えて氏名、シフト勤務体系におけるシフト情報などのデータ）を書き込んで当人に配布する。ＲＦＩＤクリップ２１は、前面に氏名、或いは社員コード番号やクリップ番号などを書き込むことができ、管理者或いは従業者当人が氏名などを書き込み、タイムカードＣ１の上端にＲＦＩＤクリップ２１を装着して出勤／退勤登録に使用する。
【００２０】
図２はタイムレコーダ１の回路ブロック図であり、ＣＰＵ  ２は時計ＩＣ  ３から時刻情報を読み込み、表示部駆動回路８を駆動してＬＥＤ表示部９に現在時刻や曜日、日付などを表示し、キースイッチ５による各種の設定操作時には設定項目を表示する。ＣＰＵ  ２はモータ駆動回路１０を制御してカード送りモータ１１を正逆両方向へ回転駆動し、タイムカードＣ１の引込み及び排出を行い、印字ヘッド駆動回路１２を制御して印字ヘッド１３によりタイムカードＣ１へ印字する。
【００２１】
ＣＰＵ  ２には、マイクロスイッチ或いはフォトインタラプタなどのカード挿入検知センサ６、タイムカードの送り量を検出するロータリエンコーダなどのカード位置検出センサ７、及びエラー時に警告音を発するブザー１４が接続されている。
【００２２】
また、ＵＳＢインタフェース１５とメモリカードリーダ／ライタ１６が設けられていて、メモリ４に保存されている出勤退出データやそのデータを基にした集計データをコンピュータへＵＳＢケーブルを介して転送することができ、メモリカードスロットへ挿入されたメモリカードに出勤退出データやそのデータを基にした集計データを書き込んでこれらのデータを収集することもできる。
【００２３】
以上は従来のタイムレコーダに備えられている公知の機能であるが、タイムレコーダ１は上記の機能に加えてＲＦＩＤリーダ／ライタ１７を内蔵しており、タイムカードＣ１がカードスロットへ挿入されたときにタイムカードへ装着されているＲＦＩＤクリップ２１  のＲＦＩＤタグ２３からＩＤコードを読み取り、またＲＦＩＤタグ２３へデータを書き込むことができるように構成している。
【００２４】
尚、クリップＩＤコードを書き込んだＲＦＩＤクリップ２１をタイムレコーダ１のＲＦＩＤリーダ／ライタ１７にクリップＩＤコードを読取らせるか、コンピュータからＲＦＩＤクリップ２１のクリップＩＤコードをタイムレコーダへ転送してＲＦＩＤクリップ２１のクリップＩＤコードを登録しておく必要があるが、この作業は、ＲＦＩＤクリップ発行時に一回のみ行えばよく、登録したＲＦＩＤクリップはクリップＩＤコードを変更する必要があるときまで長期に亘って継続して使用することができる。
【００２５】
以下、図３に従ってタイムレコーダ１の動作を説明する。タイムレコーダ１は、一般のタイムレコーダと同様に待機状態からキー操作により設定モードへ切換えれば（ステップ１０１）、時刻修正や日付変更時刻の設定やシフト勤務の設定など各種の設定を行うことができる（ステップ１１１）。
【００２６】
タイムレコーダ１のカードスロットへタイムカードＣ１が挿入されると（ステップ１０２）、カード送りモータ１１によりタイムカードＣ１が引き込まれ（ステップ１０３）、ＲＦＩＤリーダ／ライタ１７がＲＦＩＤクリップ２１のＲＦＩＤタグ２３に書き込まれているクリップＩＤコードを読取る（ステップ１０４）。
【００２７】
そして、読取ったクリップＩＤコードが登録されているか否かの照合を行い（ステップ１０５）、未登録ＩＤコードであれば、送りモータ１１を逆転駆動してタイムカードＣ１を排出すると同時にＬＥＤ表示部９にエラーメッセージを表示したり、ブザーを鳴らしたりして警告する（ステップ１１２）。
【００２８】
クリップＩＤコードがタイムレコーダ１のメモリ４に登録されているクリップＩＤコードの一つと一致したときは、メモリ４内の該当するクリップＩＤコードのデータ書込み領域にカード挿入時の時刻データを格納し（ステップ１０６）、カード送りモータ１１を逆転駆動してタイムカードＣ１の当日の打刻欄が印字ヘッド１３の位置に一致するまで送り（ステップ１０７）、印字ヘッド１３により出勤欄或いは退出欄に時刻を印字する（ステップ１０８）。
【００２９】
そして、現在の勤務時間計算期間にそのクリップＩＤコードに対する打刻履歴がない場合、即ち、現期間における初回のカード挿入操作の場合は、ステップ１０９からステップ１１３へ進んで、社員番号などの記入欄が印字ヘッド１３の位置に一致するまでタイムカードＣ１を送り、印字ヘッド１３によりＲＦＩＤタグ２３に書き込まれているクリップ番号或いは社員番号や氏名などを番号記入欄へ印字して（ステップ１１４）排出する（ステップ１１０）。これにより、カード回収時にタイムカードからＲＦＩＤクリップを取外したり、もしタイムカードからＲＦＩＤクリップが脱落したりしても、誰のタイムカードかわからなくなることがない。
【００３０】
また、現在の勤務時間計算期間に既にそのＲＦＩＤクリップ付タイムカードを使用して打刻履歴がある場合は、時刻印字（ステップ１０８）の後にステップ１０９からステップ１１０へ進んで、タイムカードを排出する。
【００３１】
前述したように、勤務時間計算の締め日が過ぎたときに、管理者はタイムレコーダ１のメモリ４に蓄積されている従業者の勤務時間データをＵＳＢケーブルまたはメモリカードを介してコンピュータへ転送し、給与計算プログラムにより計算事務処理を行う。コンピュータ側では、ＲＦＩＤクリップ発行時に社員コード番号や従業者氏名などのデータへクリップＩＤコードを関連づけておくことにより、タイムレコーダから取り込んだ全従業者の勤務時間データが給与計算ワークシートの個人別集計欄へ即座に反映される。
【００３２】
締め日には管理者がタイムカードＣ１を回収して、全てのＲＦＩＤクリップ２１を新しいブランクカードへ付け替えて従業者へ配布するか、または、従業者へブランクカードを配布して従業者がＲＦＩＤクリップ２１の付け替えを行うようにする。
【００３３】
このように、一人の従業者に一つのＲＦＩＤクリップ２１を割当てておけば、ＲＦＩＤクリップ２１を新規のタイムカードへ付替えるだけですみ、従来のように従業者の人数分のタイムカードを一枚ずつタイムレコーダに登録する作業が不要となる。また、パンチ穴やバーコードにてカードＩＤコードを記したタイムカードを用いる必要もないので、消耗品のコストも低減できる。
【００３４】
尚、タイムカードへＲＦＩＤタグを着脱する他の手段として、シート型ＲＦＩＤタグの裏面に粘着剤層を設けて、タイムカードへ接着及び剥離を反復できるように形成し、表面に氏名や社員コード番号を書込んで反復使用するようにしてもよく、クリップ型以外にも種々の着脱構造を適用することが可能である。
【００３５】
以上、ＲＦＩＤクリップ２１のクリップＩＤコードのみによって従業者を特定するタイムレコーダの構成を説明したが、次にＲＦＩＤクリップ２１とタイムカードの組合わせが変更された場合に生じる集計データとタイムカード上の打刻結果の相違を防止できるタイムレコーダについて説明する。
【００３６】
ここでは、図４に示すようにパンチ穴ｈにてカードＩＤコードを記した公知の構成のタイムカードＣ２にＲＦＩＤクリップ２１を装着して使用し、タイムレコーダ３１は従来機と同様にカードＩＤコード読取り機能を備えている。
【００３７】
図５はタイムレコーダ３１の回路ブロック図であり、図２のタイムレコーダ１の回路構成に加えて、従来の集計機能つきタイムレコーダと同様にフォトインタラプタによるカードＩＤコード読取り部１８を設けている。カードＩＤコード読取り部１８はロータリエンコーダなどのカード位置検出センサ７と連携動作し、タイムカード引込み時にカード位置検出センサ７によるカード位置情報とカードＩＤコード読取り部１８がパンチ穴を通過する光から検出するビット情報とから複数ビットによって構成されるカードＩＤコードが取得される。尚、パンチ穴付タイムカードＣ２に代えてバーコードにてカードＩＤコードを記したタイムカードを用い、タイムレコーダ内の反射形フォトセンサでバーコードを読取る構成であってもよい。
【００３８】
上記のタイムレコーダ３１においては、図６に示すように、カードスロットにパンチ穴付タイムカードが挿入されてタイムカードを引き込んだときに（ステップ２０３）、ＲＦＩＤリーダ／ライタ１７がＲＦＩＤクリップ２１のＲＦＩＤタグ２３に書き込まれているクリップＩＤコードを読取り、カードＩＤコード読取り部１８を介してタイムカードＣ２のカードＩＤコードを読取る（ステップ２０４）。
【００３９】
そして、先に説明したタイムレコーダ１と同様に、読取ったクリップＩＤコードが登録されているか否かの照合を行い（ステップ２０５）、未登録ＩＤコードであれば、カード送りモータ１１を逆転駆動してタイムカードＣ２を排出すると同時にＬＥＤ表示部９にエラーメッセージを表示し、ブザー１４を鳴らして警告する（ステップ２１２）。
【００４０】
クリップＩＤコードがタイムレコーダ３１のメモリ４に登録されているクリップＩＤコードの一つと一致したときは、クリップＩＤコードとカードＩＤコードの整合性を照合する（ステップ２０６）。即ち、カードＩＤコードがクリップＩＤコードに関連づけられているコードであれば時刻データ格納（ステップ２０７）、カード送り（ステップ２０８）、時刻印字（ステップ２０９）、カード排出（ステップ２１０）の処理ルーチンへ進むが、カードＩＤコードがクリップＩＤコードに関連づけられていないコードの場合は、ステップ２０６からステップ２１３へ進み、クリップＩＤコードに関する打刻履歴を参照する。
【００４１】
ここで、現在の集計期間における打刻履歴がない場合、つまり期間の初回のカード挿入時には新規カード登録ルーチンへ進み、読取ったカードＩＤコードをクリップＩＤコードに関連づけてメモリ４に保存する（ステップ２１４）。そして、社員番号などの記入欄が印字ヘッド１３の位置に一致するまでタイムカードＣ２を戻し（ステップ２１５）、印字ヘッド１３によりＲＦＩＤタグ２３に書き込まれているクリップ番号或いは社員番号や氏名などを印字する（ステップ２１６）。
【００４２】
続いて、ステップ２０７へ進み、メモリ４内のそのクリップＩＤコードへ割り当てられているデータ書込み領域にカード挿入時の時刻データを格納し、カード送り（ステップ２０８）、時刻印字（ステップ２０９）、カード排出（ステップ２１０）の処理ルーチンへ進む。
【００４３】
また、既に当該集計期間においてそのクリップＩＤコードに対する打刻履歴があり、メモリ４に保存されているクリップＩＤコードとカードＩＤコードの組合わせとの照合結果が不正の場合は、ステップ２０６からステップ２１３を経てステップ２１２へ進み、エラー表示及び排出を行う。したがって、何らかの間違いによって、或いは故意にＲＦＩＤクリップ２１と使用中のタイムカードＣ２の組合わせが変更された場合は、エラーとなってメモリ４への時刻登録とタイムカードＣ２への打刻が行われず、集計データに誤りが生じることを防止できる。
【００４４】
また、初回のカード挿入時にパンチ穴付タイムカードＣ２のカードＩＤコードが自動的にタイムレコーダ３１に登録されるので、図１のタイムレコーダ１のシステムと同様に、管理者は期間の初日の前にパンチ穴付タイムカードＣ２を従業者に配布するだけでよく、カードＩＤコードを登録及び管理する必要がないのでタイムカード発行にかかる手間が大幅に軽減される。
【００４５】
尚、タイムカードＣ２のカードＩＤコードをタイムレコーダ３１のメモリ４にタグに書き込む構成に代えて、初回のカード挿入時にタイムカードＣ２のカードＩＤコードをＲＦＩＤクリップ２１のＲＦＩＤタグ２３に書き込むように構成し、次にタイムレコーダ３１へタイムカードＣ２を挿入したときには、カードＩＤコード読取り部１８を介して読取ったカードＩＤコードとＲＦＩＤタグ２３に書き込まれているカードＩＤコードとを比較し、その結果によってＲＦＩＤクリップ２１とタイムカードＣ２の整合性を判断するようにしてもよい。
【００４６】
また、上記実施形態においては、打刻データ及びその集計データをタイムレコーダ１，  ３１のメモリ４に保存する構成を説明したが、一期間の打刻データ及びその集計データをＲＦＩＤクリップ２１のＲＦＩＤタグ２３に書き込み、図５のタイムレコーダ３１においてはさらにタイムカードＣ２のカードＩＤコードもＲＦＩＤクリップ２１のＲＦＩＤタグ２３に書き込み、タイムレコーダ１のメモリ４にはＲＦＩＤタグ２３のクリップＩＤコードのみを格納するようにしてもよい。
【００４７】
このように、集計データをＲＦＩＤクリップ２１のＲＦＩＤタグ２３に書き込むようにした場合は、タイムレコーダ１，  ３１に大容量のメモリを必要としないので、小容量のメモリを使用することによりタイムレコーダのコストを低減することができる。集計データの収集にあたっては、一旦ＲＦＩＤクリップ２１を回収し、事務処理部門などに設置したマルチアクセス型のＲＦＩＤリーダ／ライタにより複数のＲＦＩＤクリップ２１から一括して集計データを収集することができる。
【００４８】
尚、この発明は上記の実施形態に限定するものではなく、この発明の技術的範囲内において種々の改変が可能であり、この発明がそれらの改変されたものに及ぶことは当然である。
【００４９】
【発明の効果】
本発明のタイムカード用ＲＦＩＤクリップとタイムレコーダを組合わせて使用することにより、タイムレコーダはＲＦＩＤクリップに格納されているクリップＩＤコードを読取って、クリップＩＤコードが登録されているか否かを判断し、既登録コードの場合は時刻データの保存及び時刻印字を行い、未登録コードの場合はエラーが表示される。したがって、従来の集計機能付タイムレコーダとは異なり、パンチ穴やバーコード付のタイムカードの登録作業が不要となり、また、ＲＦＩＤクリップは長期に亘って継続使用できるので、集計期間の切換えに際しては単にＲＦＩＤクリップを新規のタイムカードへ付替えるだけでよく、毎月のタイムカード発行にかかる手間が大幅に軽減される。
【００５０】
また、タイムレコーダに、ＲＦＩＤリーダ／ライタに加えてタイムカードのカードＩＤコード読取り手段を設け、パンチ穴やバーコード付のタイムカードにＲＦＩＤクリップを装着して使用することにより、ＲＦＩＤクリップのクリップＩＤコードとタイムカードのカードＩＤコードの組合わせを検査し、既に使用中のタイムカードとＲＦＩＤクリップの組合わせが変更されたときにはエラーを表示して、不正な出勤／退出時刻登録を防止できる。
【図面の簡単な説明】
【図１】本発明の実施の一形態を示し、タイムレコーダのシステム構成図である。
【図２】図１のタイムレコーダの回路ブロック図。
【図３】図１のタイムレコーダの動作のフローチャート。
【図４】本発明の他の実施形態を示し、タイムレコーダのシステム構成図である。
【図５】図４のタイムレコーダの回路ブロック図。
【図６】図４のタイムレコーダの動作のフローチャート。
【符号の説明】
１          タイムレコーダ
２１          ＲＦＩＤクリップ
２２          クリップ
２３          ＲＦＩＤタグ
３１          タイムレコーダ
Ｃ１          タイムカード
Ｃ２          パンチ穴付タイムカード
ｈ          パンチ穴
【図１】
2004334350.tif 000003
【図２】
2004334350.tif 000004
【図３】
2004334350.tif 000005
【図４】
2004334350.tif 000006
【図５】
2004334350.tif 000007
【図６】
2004334350.tif 000008